(57)【要約】【課題】本発明の課題は、利用者参加型の音声、画像等のマルチメディア情報が組み込まれた情報提供を行なうと共に、利用者の選択に応じて、ストーリーの展開を制御する利用者参加型情報展開システムを提供することを目的とする。【解決手段】本発明の課題は、利用者の参加によって展開されるマルチメディア組み込み情報を移動体情報端末に提供する利用者参加型情報展開システムにおいて、上記移動体情報端末に提供された上記情報に対する上記利用者による選択的な情報要求に応じて、次に展開される内容を決定する決定手段と、上記決定手段による決定された上記内容に基づいて、該内容の部分又は全部を表現するマルチメディアを特定するマルチメディア属性を組み込んだ情報を次に展開される情報として構成する情報構成手段と、上記情報を上記移動体情報端末に送信する送信手段とを有する利用者参加型情報展開システムによって達成される。【選択図】　図２
2004062678.tif 000002
【特許請求の範囲】
【請求項１】
利用者の参加によって展開されるマルチメディア組み込み情報を移動体情報端末に提供する利用者参加型情報展開システムにおいて、
上記移動体情報端末に提供された上記情報に対する上記利用者による選択的な情報要求に応じて、次に展開される内容を決定する決定手段と、
上記決定手段による決定された上記内容に基づいて、該内容の部分又は全部を表現するマルチメディアを特定するマルチメディア属性を組み込んだ情報を次に展開される情報として構成する情報構成手段と、
上記情報を上記移動体情報端末に送信する送信手段とを有する利用者参加型情報展開システム。
【請求項２】
請求項１記載の利用者参加型情報展開システムにおいて、
上記送信手段は、マルチメディア属性が組み込まれた上記情報を文字情報として上記移動体情報端末に送信するようにした利用者参加型情報展開システム。
【請求項３】
請求項１又は２記載の利用者参加型情報展開システムにおいて、
上記情報構成手段は、上記内容に従った音声を示す上記マルチメディア属性が付加された情報を構成するようにした利用者参加型情報展開システム。
【請求項４】
請求項１乃至３記載の利用者参加型情報展開システムにおいて、
上記利用者による上記情報内の所望部分に対する選択的な情報要求に応じて、該所望部分によって示されるマルチメディア属性に基づいて、上記情報の内容に従ったマルチメディア情報を、上記移動体情報端末に提供するマルチメディア情報手段を有するようにした利用者参加型情報展開システム。
【請求項５】
請求項１乃至４のいずれか一項記載の利用者参加型情報展開システムにおいて、
上記情報内において、利用者が所望する情報のマルチメディア属性が音声を示す場合、上記移動体情報端末が電話回線網を経由して接続されるように、インターネットを経由して上記移動体情報端末を制御するリンク機能手段と、
上記リンク機能手段によって着呼した上記移動体情報端末へ、音声情報を提供する音声情報提供手段とを有するようにした利用者参加型情報展開システム。
【請求項６】
請求項１記載の利用者参加型情報展開システムにおいて、
上記決定手段は、
上記移動体情報端末の利用者に提供される次に展開される上記内容を、時系列に遺伝情報として管理する遺伝情報管理手段と、
上記遺伝情報管理手段によって管理される上記遺伝情報に基づいて、展開しつつ提供される情報の全体を構成する複数の内容における次の内容候補から次に展開される内容を決定する次内容決定手段とを有するようにした利用者参加型情報展開システム。
【請求項７】
請求項６記載の利用者参加型情報展開システムにおいて、
上記遺伝情報管理手段は、上記移動体情報端末がインターネットを介して次の情報要求を行なう際に、該情報要求を示すアドレス情報に上記内容を識別する識別情報が付加されるようにすることによって上記遺伝情報を管理するようにした利用者参加型情報展開システム。
【請求項８】
インターネットを介して情報を提供する利用者参加型情報展開システムに接続して、利用者が所望する情報を表示ユニットに表示させる移動体情報端末において、
内容を表現するマルチメディアを特定するマルチメディア属性が付加された情報を上記表示ユニットに表示させる表示制御手段を有する移動体情報端末。
【請求項９】
請求項８記載の移動体情報端末において、
上記情報内において、利用者によって指定された情報の一部となるメディア属性が音声を示す場合、電話回線網を経由し上記利用者参加型情報展開システムに接続し、該電話回線網を経由して上記利用者参加型情報展開システムから音声が提供されるようにした移動体情報端末。
【請求項１０】
利用者の参加によって展開されるマルチメディア組み込み情報を移動体情報端末に提供する利用者参加型情報展開方法において、
上記移動体情報端末に提供された上記情報に対する上記利用者による選択的な情報要求に応じて、次に展開される内容を決定する決定手順と、
上記決定手順による決定された上記内容に基づいて、該内容の部分又は全部を表現するマルチメディアを特定するマルチメディア属性を組み込んだ情報を次に展開される情報として構成する情報構成手順と、
上記情報を上記移動体情報端末に送信する送信手順とを有する利用者参加型情報展開方法。
【請求項１１】
請求項１０記載の利用者参加型情報展開方法において、
上記決定手順は、
上記移動体情報端末の利用者に提供される次に展開される上記内容を、時系列に遺伝情報として管理する遺伝情報管理手順と、
上記遺伝情報管理手順によって管理される上記遺伝情報に基づいて、展開しつつ提供される情報の全体を構成する複数の内容における次の内容候補から次に展開される内容を決定する次内容決定手順とを有するようにした利用者参加型情報展開方法。
【請求項１２】
利用者の参加によって展開されるマルチメディア組み込み情報を移動体情報端末に提供する利用者参加型情報展開システムでの処理をコンピュータに行なわせるためのプログラムを格納した記憶媒体において、
上記移動体情報端末に提供された上記情報に対する上記利用者による選択的な情報要求に応じて、次に展開される内容を決定する決定手順と、
上記決定手順による決定された上記内容に基づいて、該内容の部分又は全部を表現するマルチメディアを特定するマルチメディア属性を組み込んだ情報を次に展開される情報として構成する情報構成手順と、
上記情報を上記移動体情報端末に送信する送信手順とを有するプログラムを格納した記憶媒体。
【請求項１３】
移動体情報端末に対して次に提供すべき情報を決定する情報決定装置において、
上記移動体情報端末の利用者からの選択的な情報要求毎に、前回提供した情報の内容に基づいて次に展開される内容を時系列に遺伝情報として管理する遺伝情報管理手段と、
上記遺伝情報管理手段によって管理される上記遺伝情報に基づいて、展開しつつ提供される情報の全体を構成する複数の内容における次の内容候補から次に展開される内容を決定する次内容決定手段と、
上記次内容決定手段によって決定した上記内容を示す情報を上記移動体情報端末に提供する情報提供手段とを有するようにした情報決定装置。
【請求項１４】
請求項１３記載の情報決定装置において、
上記遺伝情報管理手段は、上記移動体情報端末がインターネットを介して次の情報要求を行なう際に、該情報要求を示すアドレス情報に上記内容を識別する識別情報が付加されるようにすることによって上記遺伝情報を管理するようにした情報決定装置。
【発明の詳細な説明】
【０００１】
【発明の属する技術分野】
本発明は、Ｗｅｂプラウザ機能付き移動体情報端末へ情報を提供する利用者参加型情報展開システムに係り、詳しくは、音声、画像等のマルチメディア情報が組み込まれたストーリー展開型の情報提供を行なう共に、利用者の選択に応じて、情報の展開を制御する利用者参加型情報展開システムを提供するものである。
【０００２】
また、そのような利用者参加型情報展開システムから提供される音声、画像等のマルチメディア情報が組み込まれたストーリー展開型の情報を利用者へ提供する移動体情報端末に関する。
【０００３】
【従来の技術】
近年のＷｅｂブラウザ機能付き携帯電話機の普及によって、テキスト、及び、イメージ、音声等のマルチメディア情報提供が行なえるようになってきた。例えば、特願２０００−１６４９３３号によって、極めて低いデータ転送速度である携帯電話機においても、Ｗｅｂ上で提供されるディジタル化された音声データを電話回線を介して提供可能とする技術によって、より幅広いマルチメディア情報の提供が可能となった。
【０００４】
【発明が解決しようとする課題】
しかしながら、上記従来における携帯電話機への情報提供システムでは、テキスト、及び、イメージ、音声等のマルチメディア情報は、夫々個々に提供される形態であったため、利用者は、所望するテキスト情報、イメージ情報、音声情報を夫々個別に検索してダウンロードしていた。このような場合、利用者自身が検索する目的をはっきりと意識して検索することが前提となっているため、例えば、テキスト情報から得た情報に関連するイメージ情報又は音声情報といった関連性を持たせた情報検索又は情報取得がし難いという問題があった。
【０００５】
そこで、本発明の第一の課題は、利用者参加型の音声、画像等のマルチメディア情報が組み込まれた情報提供を行なうと共に、利用者の選択に応じて、ストーリーの展開を制御する利用者参加型情報展開システムを提供することである。
【０００６】
また、本発明の第二の課題は、そのような利用者参加型情報展開システムから提供される音声、画像等のマルチメディア情報が組み込まれた情報を利用者へ提供する移動体情報端末を提供することである。
【０００７】
【課題を解決するための手段】
上記第一の課題を解決するため、本発明は、請求項１に記載されるように、利用者の参加によって展開されるマルチメディア組み込み情報を移動体情報端末に提供する利用者参加型情報展開システムにおいて、上記移動体情報端末に提供された上記情報に対する上記利用者による選択的な情報要求に応じて、次に展開される内容を決定する決定手段と、上記決定手段による決定された上記内容に基づいて、該内容の部分又は全部を表現するマルチメディアを特定するマルチメディア属性を組み込んだ情報を次に展開される情報として構成する情報構成手段と、上記情報を上記移動体情報端末に送信する送信手段とを有するように構成される。
【０００８】
このような利用者参加型情報展開システムでは、利用者による選択的な情報要求に応じて決定された次に展開される内容が移動体情報端末に提供される。また、利用者による選択的な情報要求に応じて、マルチメディア属性が付加された情報を移動体情報端末に提供することができるため、単なる文字情報の提供だけではなく、情報の展開に応じた音声、画像等を併せて提供することが可能となる。よって、利用者に対してはリアルタイムで利用者による選択的な情報要求に応じたマルチメディア情報を含む情報が提供されるため、その情報の展開に引き込まれるような臨場感のある利用者参加型の情報提供を実現することができる。
【０００９】
上記情報は、ストーリーが展開される小説、伝記、ゲーム等の内容を表現するメディアを特定するメディア属性が付加された情報、例えば、音声のみ、画像のみ、テキストのみ、又は、それらが組み合わされた情報であって、Ｗｅｂブラウザ上で動作可能なＷＡＶ、ＧＩＦ、ＨＴＭＬ等のファイルで管理される。
【００１０】
上記マルチメディアは、例えば、展開される情報の内容に応じた音声、画像等である。
【００１１】
上記情報を利用者に読みながら参加してもらうという観点から、本発明は、請求項２に記載されるように、請求項１記載の利用者参加型情報展開システムにおいて、上記送信手段は、マルチメディア属性が組み込まれた上記情報を文字情報として上記移動体情報端末に送信するように構成することができる。
【００１２】
このような利用者参加型情報展開システムでは、利用者は、提供された文字情報を読みながら、関連する（情報の内容を表現する）マルチメディア情報の提供を受けることができる。
【００１３】
提供された情報内から音声を提供することができるという観点から、本発明は、請求項３に記載されるように、請求項１又は２記載の利用者参加型情報展開システムにおいて、上記情報構成手段は、上記内容に従った音声を示す上記マルチメディア属性が付加された情報を構成するように構成することができる。
【００１４】
このような利用者参加型情報展開システムでは、情報を提供した移動体情報端末へ情報の内容に従った音声を提供することができる。よって、例えば、音声が情報内に登場する人物からの音声によるメッセージとすることができ、より臨場感のある情報提供を実現することができる。
【００１５】
情報内から利用者が所望するマルチメディア情報を提供することができるという観点から、本発明は、請求項４に記載されるように、請求項１乃至３記載の利用者参加型情報展開システムにおいて、上記利用者による上記情報内の所望部分に対する選択的な情報要求に応じて、該所望部分によって示されるマルチメディア属性に基づいて、上記情報の内容に従ったマルチメディア情報を、上記移動体情報端末に提供するマルチメディア情報手段を有するように構成することができる。
【００１６】
このような利用者参加型情報展開システムでは、例えば、移動体情報端末に表示された情報内から利用者によって選択されたマルチメディア属性が付加された情報に対応するマルチメディア情報を移動体情報端末に提供することができる。
【００１７】
電話回線網を介して、移動体情報端末に音声を提供するという観点から、本発明は、請求項５に記載されるように、請求項１乃至４のいずれか一項記載の利用者参加型情報展開システムにおいて、上記情報内において、利用者が所望する情報のマルチメディア属性が音声を示す場合、上記移動体情報端末が電話回線網を経由して接続されるように、インターネットを経由して上記移動体情報端末を制御するリンク機能手段と、上記リンク機能手段によって着呼した上記移動体情報端末へ、音声情報を提供する音声情報提供手段とを有するように構成することができる。
【００１８】
このような利用者参加型情報展開システムでは、移動体情報端末へ利用者が所望する音声情報を提供するために、移動体情報端末が電話回線網を経由して接続されるように、インターネットを経由して移動体情報端末を制御し、着呼した移動体情報端末へ音声情報を提供することができる。
【００１９】
利用者の選択によって情報の展開を決定するという観点から、本発明は、請求項６に記載されるように、請求項１記載の利用者参加型情報展開システムにおいて、上記決定手段は、上記移動体情報端末の利用者に提供される次に展開される上記内容を、時系列に遺伝情報として管理する遺伝情報管理手段と、上記遺伝情報管理手段によって管理される上記遺伝情報に基づいて、展開しつつ提供される情報の全体を構成する複数の内容における次の内容候補から次に展開される内容を決定する次内容決定手段とを有するようにすることができる。
【００２０】
このような利用者参加型情報展開システムでは、利用者の選択的な情報要求に応じて決定された次に展開される内容を時系列に遺伝情報として管理されるため、過去の情報要求に基づく情報の展開に応じて次に展開される内容を決定することができる。よって、情報の展開に矛盾なく、より利用者の情報要求に適した情報提供を実現することができる。つまり、利用者は、同様の情報であっても、再度その情報を最初から開始した場合でも、違ったストーリーの展開を楽しむことができる。
【００２１】
情報の展開を遺伝情報として管理するという観点から、本発明は、請求項７に記載されるように、請求項６記載の利用者参加型情報展開システムにおいて、上記遺伝情報管理手段は、上記移動体情報端末がインターネットを介して次の情報要求を行なう際に、該情報要求を示すアドレス情報に上記内容を識別する識別情報が付加されるようにすることによって上記遺伝情報を管理するように構成することができる。
【００２２】
このような利用者参加型情報展開システムでは該情報要求を示すアドレス情報に上記内容を識別する識別情報が付加されるようにすることによって、利用者毎に遺伝情報を容易に管理することができる。また、遺伝情報に、アクセス毎の識別情報を順次付加することによって世代情報をも含めることができる。
【００２３】
上記第二の課題を解決するため、本発明は、請求項８に記載されるように、インターネットを介して情報を提供する利用者参加型情報展開システムに接続して、利用者が所望する情報を表示ユニットに表示させる移動体情報端末において、内容を表現するマルチメディアを特定するマルチメディア属性が付加された情報を上記表示ユニットに表示させる表示制御手段を有するように構成される。
【００２４】
このような移動体情報端末では、マルチメディア属性が付加された情報によって臨場感のあるストーリーの展開を閲覧することができる。
【００２５】
移動体情報端末にて音声情報を取得することができるという観点から、本発明は、請求項９に記載されるように、請求項８記載の移動体情報端末において、上記情報内において、利用者によって指定された情報の一部となるメディア属性が音声を示す場合、電話回線網を経由し上記利用者参加型情報展開システムに接続し、該電話回線網を経由して上記利用者参加型情報展開システムから音声が提供されるように構成することができる。
【００２６】
上記課題を解決するための手段として、本発明は、請求項１０乃至１１に記載の利用者参加型情報展開方法とすることもできる。
【００２７】
また、上記課題を解決するための手段として、本発明は、上記利用者参加型情報展開システムによる処理をコンピュータに行なわせるためのプログラムを記憶した記憶媒体とすることもできる。
【００２８】
【発明の実施の形態】
以下、本発明の実施の形態を図面に基づいて説明する。
【００２９】
本発明の実施の一形態に係る利用者参加型情報展開システムは、特願２０００−１６４９３３号で開示される情報提供システムの機能構成を基礎として、更に改良することによって、画像等のマルチメディア情報が組み込まれたドラマ形式の情報提供を行なう共に、利用者の選択に応じて、ドラマ展開を制御可能とするものである。
【００３０】
本発明の実施の一形態に係るドラマサイトシステムは、例えば、図１に示すようなシステムを構成する。図１は、ドラマサイトシステムの構成概要の例を示す図である。
【００３１】
図１より、ドラマサイトシステム２００は、ドラマサイトから情報提供を受けるためのＷｅｂブラウザ付き携帯電話機１と、利用者の認証及び音声情報の提供を行なうドラマサイト２０２と、音声データの利用者への提供を行なう音声サービス３と、ドラマサイト２０２が利用者の認証情報の登録及び認証処理を行なう為にアクセスする認証用データベース４とで構成される。
【００３２】
利用者は、Ｗｅｂブラウザ機能付きの携帯電話機１からドラマサイト２０２にアクセスし、先ず、ＩＤ、パスワード及び携帯電話機１の電話番号等の本人であることを示す認証情報をドラマサイト２０２からの指示に従い携帯電話機１から入力する。ドラマサイト２０２は、認証情報を認証用データベース４に格納する。
【００３３】
認証情報の登録後、利用者が携帯電話機１からマルチメディア情報を組み込んだドラマ提供を行なうドラマサイト２０２へアクセスし、所望の情報提供を行なうサービス番号をドラマサイト２０２のドラマコンテンツから選択する。ドラマサイト２０２は、利用者の選択したサービス番号及び利用者情報等をトランザクションとして記録しておき、利用者が選択したドラマに組み込まれたマルチメディア情報のうち音声データを選択した場合、音声データを識別する音声データ識別情報を更にトランザクションとして記録し、音声サービス３を起動する。
【００３４】
ドラマサイト２０２は、音声情報の提供を受けようとする携帯電話機１に対し、利用者が選択したドラマに割り当てられた電話番号に電話をかけさせるリンク機能を有する。ドラマサイト２０２は、このリンク機能によって、携帯電話機１に音声サービス３への回線接続を行なわせ、音声サービス３を起動させる。
【００３５】
携帯電話機１の着信によって起動された音声サービス３は、電話回線網によって提供される番号表示機能により、携帯電話機１の電話番号を取得する。取得した電話番号で、認証用データベース４に認証問い合わせを行い、利用者の認証処理を実行する。
【００３６】
音声サービス３から認証依頼を受けた認証用データベース４は、電話番号に対応するトランザクションを検索し、該当する利用者情報が登録済みであるかを確認することによって認証を行なう。認証後に該トランザクションから利用者が選択したサービス番号等の情報に基づいて、サービスを開始する。
【００３７】
一方、認証用データベース４で利用者が認証されなかった場合、つまり、表示番号機能により取得した携帯電話機１の電話番号が登録されていない場合、認証されない利用者であるという認証結果が認証用データベース４から音声サービス３へ通知され、音声サービス３は、携帯電話機１との回線接続を切断する。
【００３８】
音声サービス３は、例えば、Ｗｅｂで提供されるようなディジタル化された音声データを、９．６ｋｂ／ｓの低速度を基準としたような携帯電話機１等への対応を可能とする専用のＣＴＩ（Ｃｏｍｐｕｔｅｒ　Ｔｅｌｅｐｈｏｎｙ　Ｉｎｔｅｇｒａｔｉｏｎ）ボードを使用することによって音声の提供が可能となる。
【００３９】
また、音声サービス３は、Ｗｅｂサーバの組み込み機能であっても、また、リンク機能により起動されるので、Ｗｅｂサーバから遠隔に備えられサービス提供装置として構成しても良い。
【００４０】
上述のように、本発明の実施の一形態に係るドラマサイトシステム２００は、音声サービス３をリンク機能によって利用者の携帯電話機１から起動させることにより、また、認証処理、及び、携帯電話機１からのドラマサイトへのアクセスをトランザクションとして記録する機能を有することにより、低速度を基準とした携帯電話機１への音声情報を含むドラマの提供を実現することが可能となる。
【００４１】
ドラマサイト２０２によって提供されるドラマコンテンツは、例えば、小説や伝記等であって、提供されるテキスト情報を読みながら、テキスト中に関連する情報をイメージ又は音声にて提供するコンテンツである。
【００４２】
図２は、ドラマサイトシステムの機能構成を示す図である。図２において、ドラマサイトシステム２００は、コンピュータシステムであって、主に、提供する情報を管理するドラマサイト２０２と、図１の音声サービス３に対応する音声サービス処理部３０と、認証用データベース４と、利用者のアクセス情報を管理するトランザクションＤＢ１４５と、ドラマを構成するテキスト情報、イメージ情報、音声情報等を管理するドラマ部品ＤＢ２５５と、ドラマサイトシステム２００を制御するプログラムをインストールするためのインストーラ１０９とを有する。ドラマサイトシステム２００によって実行される処理は、例えば、ＣＤ−ＲＯＭ等のコンピュータ読み取り可能な記録媒体に記録されたプログラムをコンピュータにインストールし、該プログラムを実行することによって実現することが可能である。
【００４３】
ドラマサイト２０２は、主に、インターネット（Ｉｎｔｅｒｎｅｔ）２１を介して接続される携帯電話機１からのアクセスを制御し、利用者が所望するドラマコンテンツを携帯電話機１へ提供するための処理を行ない、利用者の登録を行う認証情報入力処理部１２０と、利用者の認証を行う認証処理部１３０と、リンク機能により音声サービスの提供を行うサービス提供処理部２４０と、利用者が選択したドラマコンテンツに対応するドラマをＷｅｂ上で表示可能な表示形式に構成するドラマ構成処理部２５０とを有する。
【００４４】
音声サービス処理部３０は、例えば、一般電話回線網２２との間で回線接続を行なうＣＴＩボード３１と、ＣＴＩボードを制御及び電話番号通知情報等を受信し、必要に応じてコンテンツ１１０のサービス提供処理部２４０に制御されるトランザクションデータベースに問い合わせするＣＴＩボード制御ソフト３４とで構成される。
【００４５】
図１を参照しつつ各処理部について説明する。利用者が初めてドラマサイトを利用する際、利用者は、携帯電話機から利用者のＩＤ、パスワード、電話番号等の登録情報を入力する。利用者によって入力された登録情報をドラマサイト２０２が受信すると、認証情報入力処理部１２０は、認証用データベース４へ格納する。このような利用者の登録処理は、ドラマサイトへの初回の操作のみに対して実行され、２回目以降の操作時には、利用者は、利用者ＩＤとパスワードとを入力してドラマサイトへ入る。この場合、認証処理部１３０は、認証データベース４へ利用者が入力した利用者ＩＤとパスワードとに一致する登録情報があるかを問い合わせる。利用者の認証が確認されると、ドラマサイト２０２は、サービス提供処理部２４０を起動することによって、認証処理部１３０からサービス提供処理部２４０へと処理を行ない、よって、利用者は、ドラマサイト２０２によって提供される複数のドラマコンテンツの中から所望のドラマコンテンツを選択することが可能となる。続けて、利用者が所望のドラマコンテンツを選択すると、サービス提供処理部２４０は、携帯電話機１の電話番号を含む利用者情報と利用者が選択したサービス番号等の選択サービス情報等とを関連付けしたトランザクションを作成し、トランザクションデータベース１４５に格納する。続けて、ドラマサイト２０２は、ドラマ構成処理部２５０を起動する。
【００４６】
ドラマ構成処理部２５０は、トランザクションＤＢ１４５を参照することによって、利用者の所望のドラマコンテンツに対応する、テキスト、イメージ、音声などによって構成される携帯電話機１に表示させるための表示形式を構成して、インターネット２１を介して携帯電話機１へ提供する。
【００４７】
ドラマサイト２０２によって提供されるドラマコンテンツは、ドラマ内で利用者毎に異なるドラマ展開となるように、利用者によってドラマの続きを選択することができるように構成されている。選択されたドラマの続きは、サービス提供処理部２４０によって解析され、携帯電話機１へ提供されるドラマの続きに関する情報をトランザクションとしてトランザクションＤＢ２４５に追加される。
【００４８】
利用者が携帯電話機１に表示されたドラマから続きを選択、又は、ドラマを示すテキスト中に埋め込まれたマルチメディア情報を選択した場合、その選択が音声情報である場合、サービス提供処理部２４０は、携帯電話機１に対し、リンク機能によって、利用者が選択したサービスをアクセスするために対応付けされた電話番号に電話させるように制御する。
【００４９】
携帯電話機１は、リンク機能に制御され、一般電話回線網２２を経由して音声サービス処理部３０に回線接続を行う。この場合、回線接続は自動的に行われるため、利用者の電話操作は必要とされない。ドラマサイトシステム２００の音声サービス処理部３０は、ＣＴＩボード３１で携帯電話機１からの着信を受けると、一般電話回線網２２によって提供される電話番号通知機能より携帯電話機１の電話番号を取得し、電話番号通知情報をＣＴＩボード制御ソフト３４に通知する。ＣＴＩボード制御ソフト３４は、通知された電話番号通知情報に基づいて、トランザクションデータベース２４５に、該電話番号通知情報に対応するサービス提供の依頼があったかを問い合わせる、つまり、該電話番号通知情報に対応するトランザクションを検索する。該電話番号通知情報に対応するサービス提供の依頼があった場合、ＣＴＩボード制御ソフト３４は、ドラマ部品ＤＢ２５５から利用者が所望する音声データ（ディジタル音声）を取得し、ＣＴＩボードを制御して一般電話回線網２２を経由して携帯電話機１に音声（アナログ音声）を提供する。一方、ＣＴＩボード制御ソフト３４は、該電話番号通知情報に対応するサービス提供の依頼がなかった場合、接続した電話回線を切断するようにＣＴＩボードを制御する。
【００５０】
図３は、ドラマサイトシステムの動作を説明するフローチャート図である。図３において、利用者は、Ｗｅｂブラウザ機能付き携帯電話機１からインターネット２１を経由してＷｅｂをアクセスしてドラマサイトシステム２００のドラマサイト２０２にアクセスする（ステップＳ２１）。ドラマサイト２０２は、利用者からのアクセスを受けると目次ページを表示する（ステップＳ１２１）。
【００５１】
利用者はサービスの提供を受けるため、ＩＤ入力画面を選択する（ステップ２２）。ドラマサイト２０２は、ＩＤ入力画面表示要求を受けると認証処理部１３０を起動する。認証処理部１３０は、ＩＤ入力画面を携帯電話機１に表示させる（ステップ１２２）。利用者は、携帯電話機１に表示されたＩＤ入力画面の指示に従いＩＤ、パスワード等の認証情報を入力する（ステップＳ２３）。
【００５２】
ドラマサイト２０２の認証処理部１３０が利用者からの認証情報を受けると、認証用データベース４に問い合わせて、該認証情報に基づいて認証処理を行う（ステップＳ１２３）。認証できなかった場合、つまり、該認証情報と一致する登録が認証用データベース４になかった場合、認証処理を終了し（ステップＳ１２５）ステップＳ１２１へ戻り携帯電話機１に目次ページを表示させる。認証できた場合、つまり、該認証情報と一致する登録が認証用データベース４にあった場合、ドラマサイト２０２は、サービス提供処理部２４０を起動し、サービス提供画面を携帯電話機１に表示させる（ステップＳ１２４）。
【００５３】
利用者が、携帯電話機１に表示されたサービス提供画面から所望のサービスを選択する（ステップＳ２４）と、ドラマサイト２０２のサービス提供処理部２４０は、携帯電話機１の電話番号を含む利用者情報と利用者が選択したドラマコンテンツを特定するドラマ番号等の選択情報等とを関連付けしたトランザクションを作成し、トランザクションＤＢ２４５に格納する（ステップＳ１２６）。
【００５４】
続けて起動されるドラマ構成処理部２５０は、サービス提供処理部２４０によってトランザクションＤＢ２４５に格納されたトランザクションに応じたドラマ内容となるように、ドラマ部品ＤＢ２５５に格納されたテキスト情報、イメージ情報、音声情報等のドラマ部品で、携帯電話機１に表示可能な表示形式にドラマを構成する。そして、ドラマ構成処理部２５０は、その構成されたドラマをネットワーク２１を介して携帯電話機１へ提供する（ステップＳ１２７）。利用者は、携帯電話機１に表示されたドラマを読み、必要に応じて、ドラマ内に設けられた選択肢から又はマルチメディア情報を選択する（ステップＳ２５）。
【００５５】
ドラマサイトシステム２００のサービス提供処理部２４０は、利用者によって選択された情報が音声情報であるか否かを判断する（ステップＳ１２８）。音声情報が選択されたと判断した場合、サービス提供処理部２４０は、携帯電話機１に対し、リンク機能によって、利用者が選択した音声情報をアクセスするために対応付けされた電話番号に電話させるように制御する（ステップ１２９）。携帯電話機１は、リンク機能に制御され、一般電話回線網２２を経由して音声サービス処理部３０に回線接続を行う（ステップＳ２６）。この場合、回線接続は自動的に行われるため、利用者の電話操作は必要とされない。
【００５６】
ドラマサイトシステム２００の音声サービス処理部３０は、ＣＴＩボード３１で携帯電話機１からの着信を受けると、一般電話回線網２２によって提供される電話番号通知機能より携帯電話機１の電話番号を取得し、電話番号通知情報をＣＴＩボード制御ソフト３４に通知する（ステップ１３０）。ＣＴＩボード制御ソフト３４は、通知された電話番号通知情報に基づいて、トランザクションデータベース２４５に、該電話番号通知情報に対応する音声情報提供の依頼があったかを問い合わせる、つまり、該電話番号通知情報に対応するトランザクションのうち音声情報を示す最新のトランザクションを検索する（ステップＳ１３１）。該電話番号通知情報に対応する音声情報提供の依頼があった場合、ＣＴＩボード制御ソフト３４は、ＣＴＩボードを制御して音声サービスを一般電話回線網２２を経由して携帯電話機１に提供する（ステップＳ１３２）。利用者は、携帯電話機１で一般電話回線網２２を介して提供されるアナログ音声を聞く（ステップＳ２７）。ここで、アナログ音声は、ドラマサイトシステム２００のドラマ部品ＤＢ２５５で管理されるディジタル化された音声データを、ＣＴＩボード制御ソフト３４及びＣＴＩボード３１によってアナログに変換された音声情報で、例えば、音で表現されるメッセージ、メロディー等である。一方、該電話番号通知情報に対応するサービス提供の依頼がなかった場合、接続した電話回線を切断するようにＣＴＩボードを制御する（ステップＳ１３３）。
【００５７】
一方、ステップＳ１２８において、利用者によって選択された情報が音声情報でない場合、サービス提供処理部２４０は選択されたマルチメディア情報、又は、ドラマの続きを経路情報によって決定したドラマ情報を示すトランザクションを作成し、トランザクションＤＢ２４５に追加する。そして、ステップＳ１２７へ戻り、上記同様の処理を繰り返す。
【００５８】
よって、ドラマサイトシステム２００は、利用者の選択に応じてドラマを次々と展開し、また、利用者がドラマ内の関連情報を選択することによってテキスト情報以外のマルチメディア情報によってドラマを一層興味深い展開とすることができる。
【００５９】
このようなドラマサイトシステム２００によって提供されるドラマの例について説明する。
【００６０】
図４、図５、及び、図６は、第一のドラマ例を示す図である。図４において、利用者の選択によってリンクされ、ネットワーク２１を介して携帯電話機１の表示部に表示されたドラマＬ０１は、ドラマ内容０１と３つの選択肢２１１、２１２、２１３とで構成される。ドラマ内容０１を読んだ利用者は、自分が所望するドラマの展開を選択肢２１１、２１２、２１３から１つ選択する。利用者が『［１］電話を無視する』で表示される選択肢２１１を選択した場合、その選択肢２１１によってドラマＬ０２へとリンクする。ドラマＬ０２は、内容０１から続く内容０２と次の内容へ進む（リンクする）クリック域２１５とを有する。また、内容０２の中には、『電話に出た。』で表示されるクリック域２１４が組み込まれており、クリック域２１４を携帯電話機１の設定ボタンの押下（以下、クリックと言う）によって、リンク機能によって予め設定された電話番号へ接続し、ドラマサイトシステム２００の音声サービス処理部３０が起動する。そして、例えば、音声サービス処理部３０によって、携帯電話機１の利用者へ音声データ０１が一般電話回線網２２を介して提供される。音声データ０１の提供後、自動的に電話回線が切断され、利用者は、内容０２へ戻り、次の内容へクリック域２１５をクリックすることによって、例えば、ドラマＬ０４へリンクしドラマＬ０４が携帯電話機１に表示される。一方、利用者がドラマＬ０１で『［２］電話に出る』で表示される選択域２１２を選択した場合、ドラマＬ０３へリンクし内容０３及びクリック域２１７を含むドラマＬ０３が表示される。利用者は、内容０３に組み込まれた『電話にでることにした。』で表示されるクリック域２１６をクリックすることによってリンク機能によって音声データ０１を聴いた後、クリック域２１７をクリックすることによって、次のドラマへリンクする。ドラマＬ０２のクリック域２１５又は／及びドラマＬ０３のクリック域２１７によって、更に、ドラマＬ０４にリンクする。
【００６１】
一方、利用者がドラマＬ０１にて、『［３］電源を切る』で表示される選択域２１３を指定した場合、例えば、図５に示す内容０５とクリック域２２０とで構成されるドラマＬ０５にリンクする。利用者が内容０５に組み込まれた『メッセージを聞く事にした。』で表示されるクリック域２１９をクリックすると、リンク機能によって音声データ０２を聞き、クリック域２２０をクリックして、内容０６と、選択肢２２１及び２２２と、クリック域２２３とで構成されるドラマＬ０６へリンクする。利用者は、内容０６を読んだ後、『［１］約束した場所へ急ぐ』で表示される選択肢２２１を選択することによって、更に、ドラマが展開する。また、『［２］佐藤に電話を掛ける』で表示される選択肢２２２を選択することによって、内容０７とクリック域２２５とで構成されるドラマＬ０７が携帯電話機１に表示される。利用者が内容０７に組み込まれた『電話をかけることにした。』で表示されるクリック域２２４をクリックすると、リンク機能によって図６の音声データ０３が利用者の携帯電話機１に提供され、その音声データ０３を聞いた後、利用者は、ドラマの展開に応じたメッセージを録音データ０４として録音することができる。一方、クリック域２２５をクリックすることによって、前のドラマＬ０６へ戻ることができる。
【００６２】
上記第一のドラマ例は、テキストの内容と音声情報とで構成されたドラマの例である。次に、テキストの内容と、音声情報と、イメージ情報とで構成されるドラマの例について説明する。
【００６３】
図７及び図８は、第二のドラマ例を示す図である。図７において、利用者が携帯電話機１から内容１１とクリック域２３１とで構成されるドラマＬ１１にリンクして、内容１１を読み、クリック域２３１をクリックする。このクリックによって、イメージ１２と、内容１２と、選択肢２３２及び２３３とで構成されるドラマＬ１２が、携帯電話機１に表示される。利用者が『［２］メールを見ない』で表示される選択肢２３３を選択することによって、所定のリンクへとドラマが継続する。一方、利用者が『［１］メールを見る』で表示される選択肢２３２を選択することによって、内容１３と、選択肢２３４、２３５、２３６とで構成されるドラマＬ１３が携帯電話機１に表示される。利用者が『［１］地図を見る』で表示される選択肢２３４を選択すると、イメージ１４と、内容１４と、クリック域２３７とで構成されるドラマＬ１４が携帯電話機１に表示される。この場合、利用者は、イメージ１４を参照後、クリックボタン２３７をクリックすることによって、１つ前のドラマＬ１３へ戻ることになる。また、利用者が『［２］南口へ行く』で表示される選択肢２３５を選択すると、内容１５１と、イメージ１５と、内容１５２と、クリック域２３８とで構成されるドラマＬ１５が表示される。利用者は、内容１５１と、イメージ１５と、内容１５２とを閲覧した後、クリック域２３８をクリックすることによってリンクされるドラマＬ１６を閲覧することができる。また、ドラマＬ１３において、利用者が『［３］ハチ公口へ行く』で表示される選択肢２３６を選択すると、内容１６とクリック域２４０とで構成されるドラマＬ１６が表示される。この場合、内容１６に組み込まれた『あわてて電話にでた。』で表示されるクリック域２３９をクリックすることによって、利用者は、上記第一のドラマ例と同様のリンク機能による一般電話回線網２２への接続によって、音声サービス処理部３０により音声データ０５が提供され携帯電話機１でアナログ音声を聞くことができる。音声データ０５を聞き終わると、内容１７と選択肢２４１及び２４２とで構成されるドラマＬ１７が携帯電話機１に表示される。利用者が、『［１］電話に出る』で表示される選択肢２４１を選択すると、再度、リンク機能によって一般電話回線網２２へ接続され音声データを携帯電話で聞くことになる。一方、『［２］電話に出ない』で表示される選択肢２４２を選択することによって、ドラマが続いて行く。
【００６４】
上記第一のドラマ例と第二のドラマ例によって、利用者による選択、又は、ドラマ内容に組み込まれたマルチメディア情報の提供によって、一層臨場感のあるドラマを携帯電話機１で楽しむことができる。
【００６５】
ドラマサイト２０２は、上記のような小説風のドラマを提供することができる他、例えば、図９及び図１０で示されるような著名人の伝記風のドラマを提供することもできる。
【００６６】
図９及び図１０は、第三のドラマ例を示す図である。利用者が、ドラマサイト２０２からドラマコンテンツとして「ＸＹＺ伝記」を選択したとする。図９より、利用者の選択によって、「ＸＹＺ伝記」のドラマＬ２１が利用者の携帯電話機１にネットワーク２１を介して表示される。ドラマＬ２１は、タイトルを表示する表示域２１と、伝記内容を表示する内容２１と、ページを制御する制御域２１とを有する。更に、内容２１は、文書中にアンダーラインで示されるクリック域３０１及び３０２を含み、例えば、『函館の高校時代に、市内のライブハウス』で表示されるクリック域３０１をクリックすることによって、文章に応じたライブハウスの写真及び地図等が携帯電話機１に表示される。また、『彼らにとって音楽とは？（ボイス）』で表示されるクリック域３０２をクリックすることによって、彼らの声で録音されたボイスメッセージが、リンク機能による一般公衆回線網２２への接続を介して音声サービス処理部３０によって、アナログ音声として形態電話機１に提供され、利用者は、そのボイスメッセージを聞くことができる。制御域２１は、全ページに対する現在のページを表示するページ表示域３０３と、次のページを表示するためのクリック域３０４と、「ＸＹＺ伝記トップ」を表示するためのクリック域３０５とを有する。利用者が、クリック域３０４をクリックすると、例えば、「ＸＹＺ伝記」のドラマＬ２２が携帯電話機１にインターネット２１を介して表示される。
【００６７】
ドラマＬ２２は、タイトルを表示する表示域２２と、伝記内容を表示する内容２２と、ページを制御する制御域２２とを有する。更に、内容２２は、文書中にアンダーラインで示されるクリック域３１１、３１２、３１３を含み、例えば、『都内及び東京のライブハウス』で表示されるクリック域３１１をクリックすることによって、文章に応じたライブハウスの写真及び地図等が携帯電話機１に表示される。また、『当時の回想、メンバー対談（ボイス）』で表示されるクリック域３１２をクリックすることによって、彼らの声で録音されたボイスメッセージが、リンク機能による一般公衆回線網２２への接続を介して音声サービス処理部３０によって、アナログ音声として形態電話機１に提供され、利用者は、そのボイスメッセージを聞くことができる。更に、『自主制作テープ３本を発表』で表示されるクリック域３１３をクリックすることによって、リンク機能による一般公衆回線網２２への接続を介して音声サービス処理部３０によって、発表された音楽の一部又は全部をアナログ音楽として形態電話機１に提供され、利用者は、その音楽を試聴することができる。制御域２２は、全ページに対する現在のページを表示するページ表示域３１４と、次のページを表示するためのクリック域３１５と、前のページに戻るためのクリック域３１６と、「ＸＹＺ伝記トップ」を表示するためのクリック域３１７とを有する。利用者が、クリック域３１５をクリックすることによって、「ＸＹＺ伝記」の続きを閲覧することができる。
【００６８】
上記より、利用者は、伝記を読みながら、著名人の伝記の内容に関連する情報をマルチメディア情報によって確認することができ、また、マルチメディア情報の提供によって、利用者に対して、より一層その伝記の内容を印象付けることができる。
【００６９】
このような伝記風のドラマの提供は、例えば、ドラマの最後に図１０に示されるようなクイズ形式のドラマＬ２３を利用者に提供することによって、利用者の著名人への関心を更に高めることができる。
【００７０】
図１０において、ドラマＬ２３は、タイトルを表示する表示域２３と、伝記内容に関するクイズを表示する内容２３と、ページを制御する制御域２３とを有する。更に、内容２３には、例えば、多肢選択によるクイズが表示され、クイズ毎に利用者が選択した回答番号を入力する入力域３２０が設けられ、クイズの最後には、利用者が選択した回答番号をドラマサイトシステム２００に送信するための送信ボタン３３０とが含まれる。利用者は、内容２３に表示されるクイズを読み、再度、確認したい場合は、制御域２３の前のページへ戻るためのクリック域３３１をクリックすることによって、前ページを参照することができる。利用者は、各クイズに回答を入力し、送信ボタン３３０をクリックする。ドラマサイトシステム２００では、例えば、利用者からの回答に基づいて、正解と点数を携帯電話機１に表示させたり、点数の上位から抽選でサイン入りのＣＤや著名人のコンサートや講演会等のチケットのプレゼントをするように構成することができる。
【００７１】
図９中、アンダーラインのある文字列は、マルチメディア情報のタイプに応じて色分けして表示するようにしても良い。
【００７２】
ドラマサイトシステム２００のサービス提供処理部２４０は、以下に示すような原理によって、上記第一のドラマ例又は上記第二のドラマ例の場合、ドラマのストーリー展開を制御する。
【００７３】
図１１は、ドラマサイトのリンク構成の例を示す図である。図１１において、上記第一のドラマ例又は上記第二のドラマ例におけるドラマＬ０１からＬ０７、及び、Ｌ１１からＬ１７は、Ｗｅｂ上で表示可能な夫々ＨＴＭＬ（Ｈｙｐｅｒ　Ｔｅｘｔ　Ｍａｒｋｕｐ　Ｌａｎｇｕａｇｅ）形式等で提供され、ドラマＬ０１からＬ０７、及び、Ｌ１１からＬ１７は、夫々図１１中のＨＴＭＬファイル１つに対応する。ある一つのドラマは、複数のＨＴＭＬファイルをストーリーの展開に応じて次のＨＴＭＬファイルにリンクすることによって構成される。図１１に示す例では、ファイル名「１．ＨＴＭＬ」からドラマが始まり、ファイル名「２．ＨＴＭＬ」とファイル名「３．ＨＴＭＬ」とにリンク可能であることを示す。また、ファイル名「２．ＨＴＭＬ」からは、ファイル名「４．ＨＴＭＬ」とファイル名「５．ＨＴＭＬ」とにリンクでき、ファイル名「４．ＨＴＭＬ」からは、ファイル名「８．ＨＴＭＬ」、「９．ＨＴＭＬ」、「１０．ＨＴＭＬ」とにリンク可能であることを示す。ここで、リンク可能とは、利用者の選択によって、リンク可能となるＨＴＭＬファイルであることを意味する。
【００７４】
図１２は、リンクによるドラマの展開例を示す図である。図１２より、例えば、ファイル名「４．ＨＴＭＬ」を閲覧する利用者のアクセス経路は、数種類存在する。例えば、ファイル名「１．ＨＴＭＬ」からファイル名「２．ＨＴＭＬ」にリンクし、ファイル名「４．ＨＴＭＬ」にアクセスするアクセス経路１と、ファイル名「１．ＨＴＭＬ」からファイル名「２．ＨＴＭＬ」にリンクし、ファイル名「５．ＨＴＭＬ」を経由してファイル名「４．ＨＴＭＬ」にアクセスするアクセス経路２と、ファイル名「１．ＨＴＭＬ」からファイル名「３．ＨＴＭＬ」にリンクし、ファイル名「７．ＨＴＭＬ」そしてファイル名「６．ＨＴＭＬ」とを経由してファイル名「４．ＨＴＭＬ」にアクセスするアクセス経路３などが存在する。
【００７５】
ここで、上記のようなアクセス経路１〜３の夫々をファイル名「４．ＨＴＭＬ」に到達するまでの世代情報を含む遺伝情報として保持するようにする。以下にその方法について、図１３でアクセス経路３を例にして説明する。
【００７６】
図１３は、情報の保持方法の例を示す図である。図１３において、ファイル名「１．ＨＴＭＬ」からファイル名「４．ＨＴＭＬ」にアクセスするまでの５世代分の遺伝情報を保持する場合について説明する。遺伝情報の保持は、例えば、リンク先のＵＲＬ（Ｕｎｉｆｏｒｍ　Ｒｅｓｏｕｒｃｅ　Ｌｏｃａｔｏｒ）に、順に、ＨＴＭＬファイル名に対応する数字を埋め込むようにする。説明の便宜上、対応する数字を図中のＨＴＭＬファイル名の数字と対応させるものとする。
【００７７】
アクセス経路３を例にして、利用者は、ドラマの最初のファイル名「１．ＨＴＭＬ」を閲覧後、ファイル名「３．ＨＴＭＬ」へリンクする。サービス提供処理部２４０は、予め、ドラマの最初のファイル名「１．ＨＴＭＬ」を遺伝情報としてＵＲＬに、「ｈｔｔｐ：／／＊＊＊．＊＊．＊＊／１．ｈｔｍｌ？＝００００１」のように埋め込んでおく。利用者に指定されたリンク先のファイル名「３．ＨＴＭＬ」を取得して（ステップＳ２０１）、ＵＲＬの最後に遺伝情報として、ファイル名を埋め込む（ステップＳ２０２）。例えば、拡張子を除いたファイル名「３」を「ｈｔｔｐ：／／＊＊＊．＊＊．＊＊／３．ｈｔｍｌ？＝０００１３」のように埋め込んで、ＵＲＬに遺伝情報を保持する。そして、利用者が指定したファイル名「３．ＨＴＭＬ」にアクセスする（ステップＳ２０３）。ファイル名「３．ＨＴＭＬ」にアクセス後、更に、利用者が、ファイル名「７．ＨＴＭＬ」を指定すると、サービス提供処理部２４０は、利用者に指定されたリンク先のファイル名「７．ＨＴＭＬ」を取得して（ステップＳ２０１）、ＵＲＬの最後に遺伝情報として、ファイル名を埋め込む（ステップＳ２０２）。拡張子を除いたファイル名「７」を「ｈｔｔｐ：／／＊＊＊．＊＊．＊＊／７．ｈｔｍｌ？＝００１３７」のように埋め込んで、ＵＲＬに遺伝情報を保持する。そして、利用者が指定したファイル名「７．ＨＴＭＬ」にアクセスする（ステップＳ２０３）。同様に、続けて、利用者がファイル名「５．ＨＴＭＬ」を指定し、次に、ファイル名「４．ＨＴＭＬ」を指定すると、ＵＲＬは、「ｈｔｔｐ：／／＊＊＊．＊＊．＊＊／５．ｈｔｍｌ？＝０１３７５」、「ｈｔｔｐ：／／＊＊＊．＊＊．＊＊／４．ｈｔｍｌ？＝１３７５４」と変化する。
【００７８】
このように、ファイル名を数値とし、ＵＲＬに保持したい世代分の桁数を持たせ、利用者のファイル名の指定毎に、桁をずらしながら指定されたファイル名を埋め込むことによって、例えば、経路情報を５世代分の遺伝情報としてＵＲＬに保持させることができる。
【００７９】
同様に、アクセス経路１について、遺伝情報を保持したＵＲＬは、「ｈｔｔｐ：／／＊＊＊．＊＊．＊＊／４．ｈｔｍｌ？＝００１２４」となる。また、アクセス経路２について、遺伝情報を保持したＵＲＬは、「ｈｔｔｐ：／／＊＊＊．＊＊．＊＊／４．ｈｔｍｌ？＝０１２４５」となる。
【００８０】
サービス提供処理部２４０は、所定世代分の遺伝情報をＵＲＬに保持させ、遺伝情報を引数とする所定アルゴリズムによって、次にリンクされるファイル名を決定することができる。遺伝情報に基づく経路の決定方法について図１４で説明する。
【００８１】
図１４は、遺伝情報に基づくリンク先決定の例を示す図である。図１４において、例えば、アクセス経路１の遺伝情報「００１２４」、アクセス経路２の遺伝情報「０１２５４」、及び、アクセス経路３の遺伝情報「１３７５４」は、所定アルゴリズムによって、夫々ファイル名「８．ＨＴＭＬ」、ファイル名「９．ＨＴＭＬ」、及び、ファイル名「１０．ＨＴＭＬ」にリンクするように制御される。
【００８２】
このように、所定ファイル名にアクセスするまでの経路情報を所定世代分の遺伝情報としてＵＲＬに保持させることによって、遺伝情報毎に異なる情報を提供することができる。
【００８３】
従って、利用者がリンク先を選択することで、異なる経路、異なるストーリー展開の後にドラマコンテンツが終了する従来の方法では、ドラマのエンディングも一つの場合、もしくは複数ある場合のいずれにおいても、リンクの違いでストーリーを変えていくだけのものであったのに対して、利用者による経路の選択と、上記遺伝情報に基づく経路の決定方法とを組み合せることによって、利用者にドラマの展開により興味を持たせることができるようになる。本発明に係るドラマサイトシステム２００は、過去の情報要求に基づく情報の展開に応じて次に展開される内容を決定することができる。よって、情報の展開に矛盾なく、より利用者の情報要求に適した情報提供を実現することができる。
【００８４】
また、上記遺伝情報に基づく経路の決定方法は、ホームページ上でのアンケートの回答を遺伝情報としてＵＲＬに保持させることによって、各質問の回答、集計等が容易に行なえるようになる。まが、同様の方法を用いて、ゲームに適用することもできる。
【００８５】
上記実施例により、リアルタイムで利用者による選択的な情報要求に応じたマルチメディア情報を含むドラマが携帯電話等に提供されるため、利用者は、その情報の展開に引き込まれるような臨場感のある利用者参加型の情報提供を実現することができる。
【００８６】
上記実施例において、ドラマサイトを例として説明したが、本発明はドラマサイトに限定されるものでははい。利用者の参加（提供された情報に対する利用者による応答（文字又は音声入力又は情報選択によるアクション））によって、次に提供されるべき情報が決定し、該情報が利用者へ提供されるようなものであればよい。上記例としたドラマの他、利用者の応答によってゲームの次の場面が決定されて展開するような、又は、利用者の解答の正誤によって次のクイズが決定されて展開するような構成としても良い。
【００８７】
【発明の効果】
以上、説明してきたように、請求項１乃至７記載の本願発明によれば、マルチメディア属性が付加された情報によって構成されるドラマを移動体情報端末に提供することができるため、単なる文字情報によるドラマではなく、ドラマの展開に応じた音声、画像等を併せて提供することが可能となる。
【００８８】
また、請求項８及び９記載の本願発明によれば、マルチメディア属性が付加された情報によって構成されるドラマを閲覧することができ、また、利用者は、所望する音声情報を電話回線網を介して聴くことができる。
【００８９】
また、請求項１０乃至１２記載の本願発明によれば、音声、画像等のマルチメディア情報が組み込まれたドラマ形式の情報提供を行なう共に、利用者の選択に応じて、ドラマの展開を制御する利用者参加型情報展開方法を提供することができる。
【００９０】
さらに、請求項１３記載の本願発明によれば、上記のようなドラマサイトシステムでの処理をコンピュータに行なわせるためのプログラムを格納した記憶媒体を提供することができる。
【００９１】
【図面の簡単な説明】
【図１】ドラマサイトシステムの構成概要の例を示す図である。
【図２】ドラマサイトシステムの機能構成を示す図である。
【図３】ドラマサイトシステムの動作を説明するフローチャート図である。
【図４】第一のドラマ例を示す図である。
【図５】第一のドラマ例を示す図である。
【図６】第一のドラマ例を示す図である。
【図７】第二のドラマ例を示す図である。
【図８】第二のドラマ例を示す図である。
【図９】第三のドラマ例を示す図である。
【図１０】第三のドラマ例を示す図である。
【図１１】ドラマサイトのリンク構成の例を示す図である。
【図１２】リンクによるドラマの展開例を示す図である。
【図１３】遺伝情報の保持方法の例を示す図である。
【図１４】遺伝情報に基づくリンク先決定の例を示す図である。
【符号の説明】
１　　　　　　　　　　　Ｗｅｂブラウザ機能付き携帯電話機
３　　　　　　　　　　　音声サービス
４　　　　　　　　　　　認証用データベース
３０　　　　　　　　　　音声サービス処理部
３１　　　　　ＣＴＩボード
３４　　　　　ＣＴＩ制御ソフト
１２０　　　　認証情報入力処理部
１３０　　　　認証処理部
２４０　　　　サービス提供処理部
２４５　　　　トランザクションデータベース
２５０　　　　ドラマ構成処理部
２５５　　　　ドラマ部品ＤＢ
２００　　　　ドラマサイトシステム
２０２　　　　　　　ドラマサイト
【図１】
2004062678.tif 000003
【図２】
2004062678.tif 000004
【図３】
2004062678.tif 000005
【図４】
2004062678.tif 000006
【図５】
2004062678.tif 000007
【図６】
2004062678.tif 000008
【図７】
2004062678.tif 000009
【図８】
2004062678.tif 000010
【図９】
2004062678.tif 000011
【図１０】
2004062678.tif 000012
【図１１】
2004062678.tif 000013
【図１２】
2004062678.tif 000014
【図１３】
2004062678.tif 000015
【図１４】
2004062678.tif 000016